【手続補正書】
【提出日】平成17年3月18日(2005.3.18)
【手続補正１】
【補正対象書類名】明細書
【補正対象項目名】発明の名称
【補正方法】変更
【補正の内容】
【発明の名称】情報処理装置、方法及び制御プログラム
【手続補正２】
【補正対象書類名】明細書
【補正対象項目名】特許請求の範囲
【補正方法】変更
【補正の内容】
【特許請求の範囲】
【請求項１】
出力装置を備え、前記出力装置と通信する情報処理装置において、
所定の指示を入力する入力手段と、
前記入力手段が入力した指示に応答して、メールアプリケーションを操作し、前記メールアプリケーションが送信すべき電子メールに対して、取得された印刷設定情報を送信可能な状態に設定する設定手段と、
前記メールアプリケーションが作成した電子メールを用いて、印刷設定情報を通知するための印刷設定情報通知手段と
を備えることを特徴とする情報処理装置。
【請求項２】
前記印刷設定情報通知手段が実行されたときに、前記メールアプリケーションを起動し、印刷設定、ドライババージョン、機種名称、印刷を実行するホストコンピュータ環境情報、のうちの少なくともひとつを含む印刷設定情報と、送信先のメールアドレスを挿入した新規メールを作成するメール作成手段を備えることを特徴とする請求項１記載の情報処理装置。
【請求項３】
前記印刷設定情報通知手段が実行されたときに、Ｗｅｂブラウザアプリケーションを起動し、印刷設定、ドライババージョン、機種名称、ホストコンピュータ環境情報をＣＧＩに対して挿入するＣＧＩ挿入手段を備えることを特徴とする請求項１記載の情報処理装置。
【請求項４】
前記印刷設定情報通知手段の操作可否を、ユーザが通知権限を有するか否かの判断によって決定する決定手段を備えることを特徴とする請求項１〜３のいずれか１項に記載の情報処理装置。
【請求項５】
前記印刷設定情報通知手段の操作可否を、前記メールアプリケーションまたは前記Ｗｅｂブラウザアプリケーションがインストールされているか否かの判断によって決定する決定手段を備えることを特徴とする請求項１〜４のいずれか１項に記載の情報処理装置。
【請求項６】
プリンタドライバが構成するユーザインターフェースに表示される指示入力部を介した入力に応答して、メールアプリケーションを起動する起動手段をさらに備えることを特徴とする請求項１〜５のいずれか１項に記載の情報処理装置。
【請求項７】
出力装置を備え、前記出力装置と通信する情報処理方法において、
所定の指示を入力する工程と、
前記入力手段が入力した指示に応答して、メールアプリケーションを操作し、前記メールアプリケーションが送信すべき電子メールに対して、取得された印刷設定情報を送信可能な状態に設定する工程と、
前記メールアプリケーションが作成した電子メールを用いて、印刷設定情報を通知する工程と
を備えることを特徴とする情報処理方法。
【請求項８】
前記印刷設定情報を通知するための操作が行われたときに、前記メールアプリケーションを起動し、印刷設定、ドライババージョン、機種名称、ホストコンピュータ環境情報、送信先のメールアドレスを挿入した新規メールを作成する工程を備えることを特徴とする請求項７記載の情報処理方法。
【請求項９】
前記印刷設定情報を通知するための操作が行われたときに、Ｗｅｂブラウザアプリケーションを起動し、印刷設定、ドライババージョン、機種名称、ホストコンピュータ環境情報をＣＧＩに対して挿入する工程を備えることを特徴とする請求項７記載の情報処理方法。
【請求項１０】
前記印刷設定情報を通知するための操作の可否を、ユーザが通知権限を有するか否かの判断によって決定することを特徴とする請求項７〜９のいずれか１項に記載の情報処理方法。
【請求項１１】
前記印刷設定情報を通知するための操作の可否を、前記メールアプリケーションまたは前記Ｗｅｂブラウザアプリケーションがインストールされているか否かの判断によって決定する工程を備えることを特徴とする請求項７〜１０のいずれか１項に記載の情報処理方法。
【請求項１２】
プリンタドライバが構成するユーザインターフェースに表示される指示入力部を介した入力に応答して、前記メールアプリケーションを起動する工程を備えることを特徴とする請求項７〜１１のいずれか１項に記載の情報処理方法。
【請求項１３】
請求項７〜１２のいずれか１項に記載の情報処理方法をコンピュータに実行させるための制御プログラム。
【手続補正３】
【補正対象書類名】明細書
【補正対象項目名】０００５
【補正方法】変更
【補正の内容】
【０００５】
【課題を解決するための手段】
上記目的を達成するために本発明の情報処理装置は、出力装置を備え、前記出力装置と通信する情報処理装置において、所定の指示を入力する入力手段と、前記入力手段が入力した指示に応答して、メールアプリケーションを操作し、前記メールアプリケーションが送信すべき電子メールに対して、取得された印刷設定情報を送信可能な状態に設定する設定手段と、前記メールアプリケーションが作成した電子メールを用いて、印刷設定情報を通知するための印刷設定情報通知手段とを備えることを特徴とする。
【手続補正４】
【補正対象書類名】明細書
【補正対象項目名】０００６
【補正方法】変更
【補正の内容】
【０００６】
また、本発明の情報処理装置において、前記印刷設定情報通知手段が実行されたときに、前記メールアプリケーションを起動し、印刷設定、ドライババージョン、機種名称、印刷を実行するホストコンピュータ環境情報、のうちの少なくともひとつを含む印刷設定情報と、送信先のメールアドレスを挿入した新規メールを作成するメール作成手段を備えることを特徴とする。
【手続補正５】
【補正対象書類名】明細書
【補正対象項目名】０００７
【補正方法】変更
【補正の内容】
【０００７】
また、本発明の情報処理装置において、前記印刷設定情報通知手段が実行されたときに、Ｗｅｂブラウザアプリケーションを起動し、印刷設定、ドライババージョン、機種名称、ホストコンピュータ環境情報をＣＧＩに対して挿入するＣＧＩ挿入手段を備えることを特徴とする。
【手続補正６】
【補正対象書類名】明細書
【補正対象項目名】０００８
【補正方法】変更
【補正の内容】
【０００８】
また、本発明の情報処理装置において、前記印刷設定情報通知手段の操作可否を、ユーザが通知権限を有するか否かの判断によって決定する決定手段を備えることを特徴とする。
【手続補正７】
【補正対象書類名】明細書
【補正対象項目名】０００９
【補正方法】変更
【補正の内容】
【０００９】
また、本発明の情報処理装置において、前記印刷設定情報通知手段の操作可否を、前記メールアプリケーションまたは前記Ｗｅｂブラウザアプリケーションがインストールされているか否かの判断によって決定する決定手段を備えることを特徴とする。
また、本発明の情報処理装置において、プリンタドライバが構成するユーザインターフェースに表示される指示入力部を介した入力に応答して、メールアプリケーションを起動する起動手段をさらに備えることを特徴とする。
【手続補正８】
【補正対象書類名】明細書
【補正対象項目名】００１０
【補正方法】変更
【補正の内容】
【００１０】
また、本発明の情報処理方法は、出力装置を備え、前記出力装置と通信する情報処理方法において、所定の指示を入力する工程と、前記入力手段が入力した指示に応答して、メールアプリケーションを操作し、前記メールアプリケーションが送信すべき電子メールに対して、取得された印刷設定情報を送信可能な状態に設定する工程と、前記メールアプリケーションが作成した電子メールを用いて、印刷設定情報を通知する工程とを備えることを特徴とする。
【手続補正９】
【補正対象書類名】明細書
【補正対象項目名】００１１
【補正方法】変更
【補正の内容】
【００１１】
また、本発明の情報処理方法において、前記印刷設定情報を通知するための操作が行われたときに、前記メールアプリケーションを起動し、印刷設定、ドライババージョン、機種名称、ホストコンピュータ環境情報、送信先のメールアドレスを挿入した新規メールを作成する工程を備えることを特徴とする。
【手続補正１０】
【補正対象書類名】明細書
【補正対象項目名】００１２
【補正方法】変更
【補正の内容】
【００１２】
また、本発明の情報処理方法において、前記印刷設定情報を通知するための操作が行われたときに、Ｗｅｂブラウザアプリケーションを起動し、印刷設定、ドライババージョン、機種名称、ホストコンピュータ環境情報をＣＧＩに対して挿入する工程を備えることを特徴とする。
【手続補正１１】
【補正対象書類名】明細書
【補正対象項目名】００１３
【補正方法】変更
【補正の内容】
【００１３】
また、本発明の情報処理方法において、前記印刷設定情報を通知するための操作の可否を、ユーザが通知権限を有するか否かの判断によって決定することを特徴とする。
【手続補正１２】
【補正対象書類名】明細書
【補正対象項目名】００１４
【補正方法】変更
【補正の内容】
【００１４】
また、本発明の情報処理方法において、前記印刷設定情報を通知するための操作の可否を、前記メールアプリケーションまたは前記Ｗｅｂブラウザアプリケーションがインストールされているか否かの判断によって決定する工程を備えることを特徴とする。
また、本発明の情報処理方法において、プリンタドライバが構成するユーザインターフェースに表示される指示入力部を介した入力に応答して、前記メールアプリケーションを起動する工程を備えることを特徴とする。
また、上記の情報処理方法をコンピュータに実行させるための制御プログラムも開示される。